(57)【要約】【課題】  本発明は電源制御装置に関し、ＲＡＩＤ装置等の周辺装置とサーバが接続されたシステムにおいても、電源連動制御を行なうことができる電源制御装置を提供することを目的としている。することを目的としている。【解決手段】  少なくとも１台の周辺装置１とサーバと２が電源連動タップ３を介して接続されたシステムにおいて、前記電源連動タップ３からサーバ２に電源を供給する構成とし、該電源連動タップ３にサーバ２に流れる電流を検出する電流検出手段３ａを設け、該電流検出手段３ａが検出した電流値を元にサーバに流れる電流に応じた電源制御信号を前記周辺装置に対して与えるように構成する。【選択図】    図１
2005321929.tif 000002
【特許請求の範囲】
【請求項１】
少なくとも１台の周辺装置とサーバとが電源連動タップを介して接続されたシステムにおいて、
前記電源連動タップからサーバに電源を供給する構成とし、該電源連動タップにサーバに流れる電流を検出する電流検出手段を設け、
該電流検出手段が検出した電流値を元にサーバに流れる電流に応じた電源制御信号を前記周辺装置に対して与えるように構成したことを特徴とする電源制御装置。
【請求項２】
前記電源連動タップは、サーバ毎に異なる待機電流と電源投入時の閾値が設定されている場合において、これら待機電流と電源投入時の閾値を自動的に検出することができるようにしたことを特徴とする請求項１記載の電源制御装置。
【請求項３】
電源のノイズ等により電源の自動投入が困難な環境下では、手動にても電源投入可能なように構成されていることを特徴とする請求項１記載の電源制御装置。
【請求項４】
前記電源連動タップは、接続した周辺装置に対して任意の装置への電源制御を行なえる機能を有することを特徴とする請求項１記載の電源制御装置。
【請求項５】
前記電源連動タップは、サーバから接続される周辺装置の情報を定期的に入手し、周辺装置が増設された時にも、自動で対応することが可能なことを特徴とする請求項１記載の電源制御装置。
【発明の詳細な説明】
【技術分野】
【０００１】
本発明は電源制御装置に関し、更に詳しくは周辺装置に対する電源投入を連動化した電源投入装置に関する。近年、コンピュータに使用される情報量は、高速化、大容量化が進んでいる。この情報を格納する周辺装置としてのＲＡＩＤ装置も同様に高速化及び大容量化が進んでいる。また、ＲＡＩＤ装置をオープン化（汎用化）により、ローコスト化及び多種のサーバ装置との接続が必要になってくる。
【０００２】
しかしながら、ＲＡＩＤ装置と接続するためには、上位側からの電源制御信号が必要であり、多くのサーバには、この電源制御信号発生回路は具備されていない。このため、ＲＡＩＤ装置と接続して電源を投入するには、人手にて手動での電源投入が必要となってくる。この場合、上位側の装置が起動する前にＲＡＩＤ装置の電源投入を行なう必要があり、間に合わない場合、ＲＡＩＤ装置はシステムに組み込まれないことになる。また、システムの無人化での運用ができない状況になる。このため、何らかの手段で電源投入／切断を行なう必要がある。
【背景技術】
【０００３】
ＲＡＩＤ装置は、ホストからの電源制御信号によって電源投入・切断が行なわれて、ホストとの電源連動が実現されている。このため、ＲＡＩＤ装置に接続される上位装置がホストである場合には問題はないが、接続される上位装置がサーバ関係の装置である場合には、電源連動制御で問題が出てくる。その理由は、サーバには下位装置の電源投入・切断を制御する電源制御機能が具備されていないからである。
【０００４】
この種の従来装置としては、例えば代表コンピュータが他のコンピュータに対する電源切断のスケジュールを依頼する際に、それぞれのコンピュータに電源制御装置を設け、この電源制御装置に対応するコンピュータの切断日時を登録する技術が知られている（例えば特許文献１参照）。また、特定の電源入力を優先的に選択して機器に電源供給を行なう装置が知られている（例えば特許文献２参照）。
【特許文献１】特開２００３−１２２４５６号公報（第４頁、第５頁、図１）
【特許文献２】特開２０００−２８４８６５号公報（第４頁、図２）
【発明の開示】
【発明が解決しようとする課題】
【０００５】
前述した従来の技術では、ＲＡＩＤ装置とホスト間を接続するシステムのみが実用化されており、上位装置がオープン化を考慮したサーバ等の電源制御信号出力を持たない上位装置との接続は実施できなかった。また、電源の連動を実現するためには、電源制御出力端子を具備した上位装置を別途用意する必要があった。今後、オープン化及びシステムのローコスト化を推進する上で、電源連動を何らかの手段にて実施する必要があった。
【０００６】
本発明はこのような課題に鑑みてなされたものであって、ＲＡＩＤ装置等の周辺装置とサーバが接続されたシステムにおいても、電源連動制御を行なうことができる電源制御装置を提供することを目的としている。
【課題を解決するための手段】
【０００７】
本発明は、電源制御端子を有しない上位装置と周辺装置（ＲＡＩＤ装置）との接続を、サーバの消費電流を監視して、この電流が増加した時に電源制御信号をＲＡＩＤ装置に送出する装置を個別に設けて、電源連動タップをＲＡＩＤ装置とサーバとの間に設けて、サーバの電源投入／切断に応じた電源制御を実現するようにしたものである。また、接続したＲＡＩＤ装置が複数台存在する場合には、電源連動する装置を予め設定しておくことで、連動する装置を制限することができる。また、ＲＡＩＤ装置の増設時にも、サーバより構成情報を入手することで、増設したＲＡＩＤ装置に対しても自動で装置の構成を認識させて、増設したＲＡＩＤ装置に対しても制御できるようにしたものである。
（１）請求項１記載の発明は以下の通りである。図１は本発明の原理ブロック図である。図において、１は周辺装置で少なくとも１台設けられている。１ａは周辺装置内部に設けられた複数のハードディスク装置（ＨＤＤ）である。この種の周辺装置としては、例えばＲＡＩＤ装置が用いられる。ＲＡＩＤ装置１には、交流電圧１００Ｖが入力されている（なお、交流電圧の値は１００Ｖに限るものではない。その他の値を持つ電圧であってよい）。この交流電圧１００Ｖはスイッチ（図示せず）を介して内部回路に入力されるようになっている。
【０００８】
２はサーバ、３は周辺装置１とサーバ２間に設けられた電源連動タップである。該電源連動タップ３には交流１００Ｖが印加されており、該電源連動タップ３の内部を介してサーバ２に供給されるようになっている。また、サーバ２からは電源連動タップ３に対して装置構成情報が通知されるようになっている。３ａは電源連動タップ３内に設けられたサーバ２に流れる電流を検出する電流検出手段である。電源連動タップ３からは、ＲＡＩＤ（周辺）装置１に対して電源制御信号（パワーオン／オフ制御信号）が出力される。
（２）請求項２記載の発明は、前記電源連動タップは、サーバ毎に異なる待機電流と電源投入時の閾値が設定されている場合において、これら待機電流と電源投入時の閾値を自動的に検出することができるようにしたことを特徴とする。
（３）請求項３記載の発明は、電源のノイズ等により電源の自動投入が困難な環境下では、手動にても電源投入可能なように構成されていることを特徴とする。
（４）請求項４記載の発明は、前記電源連動タップは、接続した周辺装置に対して任意の装置への電源制御を行なえる機能を有することを特徴とする。
（５）請求項５記載の発明は、前記電源連動タップは、サーバから接続される周辺装置の情報を定期的に入手し、周辺装置が増設された時にも、自動で対応することが可能なことを特徴とする。
【発明の効果】
【０００９】
（１）請求項１記載の発明によれば、ＲＡＩＤ装置等の周辺装置とサーバが接続されたシステムにおいても、電源連動タップを設けることで、電源連動制御を行なうことができる。
（２）請求項２記載の発明によれば、複数のサーバが設けられている場合において、オペレータによる設定のばらつきによる動作不良等を未然に防ぐことができる。
（３）請求項３記載の発明によれば、自動制御が不可能な場合には、手動により周辺装置への電源投入を行なうことができる。
（４）請求項４記載の発明によれば、接続した周辺装置毎に固有の電源投入閾値を設けることで、周辺装置毎に電源投入制御を行なうことができる。
（５）請求項５記載の発明によれば、電源連動タップは、サーバから定期的に周辺装置の情報を入手し、周辺装置が増設された場合にも、自動的に対応することができる。
【発明を実施するための最良の形態】
【００１０】
以下、図面を参照して本発明の実施の形態例を詳細に説明する。先ず、図１を参照して本発明の動作を説明する。ここでは、周辺装置としては、ＲＡＩＤ装置を用いる場合を例にとって説明する。電源連動タップ３の電流検出手段３ａは、サーバ２の待機電流（スタンバイ電流）を測定する。そして、この測定した待機電流から電源投入した時の判断基準を設定する。例えば、判断基準値として待機電流の４倍を用いる。若し、電流検出手段３ａがこの判断基準値を超えた電流を検出したら、サーバ２に電源が供給されたものと判断する。そして、この電源供給と連動して、周辺装置１にパワーオン信号を与える。このようにして、本発明によれば、サーバ２に電源が供給される時と連動してＲＡＩＤ装置にパワーを供給することができ、電源連動制御を行なうことができる。
【００１１】
図２は電源連動タップの一実施の形態例を示すブロック図である。図１と同一のものは、同一の符号を付して示す。図において、３ａは電源ラインに流れる電流を検出する電流検出手段としての電流検出回路である。該電流検出回路３ａの例としては、回路に直列に抵抗を接続してその電流ドロップから電流を検出する方法や、ＣＴ（電流トランス）を用いる方法等がある。この電流検出回路３ａを通過した１００Ｖ電源は上位装置としてのサーバ２（図示せず）に供給される。
【００１２】
１０は電流検出回路３ａの出力を受けて、各種の制御を行なう制御回路である。該制御回路１０としては、例えばマイクロコンピュータが用いられる。１２は制御回路１０からの制御信号を受けて、ＲＡＩＤ装置１に対して電源制御信号（電源オン／オフ信号）を発生する電源投入信号発生回路である。１１は制御回路１０と接続され、ＲＡＩＤ装置に関する構成情報を記憶する構成テーブルである。制御回路１０は、サーバ２（図示せず）と接続され、サーバ２からの構成テーブルデータを入手する。このように構成された回路の動作を説明すれば、以下の通りである。
【００１３】
電流検出回路３ａは、常時サーバ２への待機電流を測定している。制御回路１０はこの待機電流からサーバ２へ電源が供給されたことを判断する基準値を決定する。具体的には、例えば待機電流の４倍を基準値とする。電流検出回路３ａが検出した電流が前記基準値を超えた場合、電源連動タップ３はサーバ２へ電源が供給されたものと判断してＲＡＩＤ装置１に電源制御信号を送出して電源を供給する。
【００１４】
また、構成テーブル１１にサーバ２からの構成データが定期的に送られてきて格納される。従って、サーバ２で得られたＲＡＩＤ装置１の増設等の情報も構成テーブル１１に保存される。従って、制御回路１０で構成テーブル１１を参照することにより、増設されたＲＡＩＤ装置の情報を知ることができ、増設されたＲＡＩＤ装置に対して自動的に電源連動制御を行なうことができる。
【００１５】
本発明によれば、ＲＡＩＤ装置の電源オフ制御も行なうことができる。即ち、電流検出回路３ａの検出電流が待機電流になった場合には、制御回路１０は電源投入信号発生回路１２からＲＡＩＤ装置への電源の供給をオフにすることができる。
【００１６】
また、本発明によれば、電源連動タップ３は、サーバ２毎に異なる待機電流と電源投入時の閾値が設定されている場合において、サーバ毎に異なる待機電流と電源投入閾値を自動的に検出することができるようになっている。このようにすれば、オペレータによる設定のばらつきによる動作不良等を未然に防ぐことができる。
【００１７】
また、本発明によれば、電源のノイズ等により電源の投入が困難な環境下では、手動にても電源投入可能なように構成することができる。従って、電源の自動制御が不可能な場合には、手動によりＲＡＩＤ装置１への電源投入を行なうことができる。
【００１８】
また、本発明によれば、電源連動タップ３は、接続したＲＡＩＤ装置（周辺装置）１に対して任意の装置への電源制御を行なうことができるように構成することができる。このようにすれば、接続したＲＡＩＤ装置１毎に固有の電源投入閾値を設けることで、ＲＡＩＤ装置毎に電源投入制御を行なうことができる。
【００１９】
図３は本発明の一実施の形態例を示すブロック図である。図１、図２と同一のものは、同一の符号を付して示す。この図は、ＲＡＩＤ装置と電源連動タップと電源制御出力回路を有しないサーバが接続された場合を示している。図において、１はＲＡＩＤ装置、２はサーバ、３は電源連動タップである。電源連動タップ３は、ＲＡＩＤ装置１とサーバ２間に配置されている。ＲＡＩＤ装置としては＃１〜＃３までの３台が接続され、＃４は新たに増設されるＲＡＩＤ装置を示している。
【００２０】
サーバ２において、２ａはオン／オフスイッチにより電源の供給が制御される電源供給ユニット（ＰＳＵ：パワー・サプライ・ユニット）、２ｂはＲＡＩＤ装置に関する情報が格納されている構成テーブルである。ＲＡＩＤ装置１が増設される場合には、構成テーブル２ｂに記憶される。この構成テーブル２ｂの内容は、電源連動タップ３内の構成テーブル１１に送信され、記憶される。
【００２１】
ＲＡＩＤ装置１において、１ａはディスク、１ｂはこれらディスク１ａにパワーを供給するＤＣ電源（Ｄ−ＰＳＵ）、１ｃは制御回路にパワーを供給する電源（Ｃ−ＰＳＵ）である。電源連動タップ３からは電源制御信号がＲＣＩ（Ｒｅｍｏｔｅ  Ｃａｂｉｎｅｔ  ＩＮＴ）を介してＲＡＩＤ装置１に通知される。このＲＣＩは、全てのＲＡＩＤ装置１に対していもづる式に接続されている。このように構成されたシステムの動作を説明すれば、以下の通りである。
【００２２】
電源連動タップ３では、サーバ２に電源が接続された状態（電源未投入）で、電流検出回路３ａが電源ラインに流れる電流を検出している（Ｓ１）。このアナログ電流は、電源連動タップ内部のＡ／Ｄ変換器（図示せず）でディジタル信号値に変換する。そして、待機電流がいくらであるかを認識する（Ｓ２）。待機電流が認識されたら、電源の基準値（閾値）を自動設定する（Ｓ３）。この待機電流値にマージンを付加させて内部の基準値として求めておく。例えば、待機電流が例えば０．３Ａであったものとすると、電源の基準値としては、その４倍程度、０．３×４＝１．２（Ａ）となる。
【００２３】
電源の基準値が求まったら、制御回路１０は電流検出回路３ａの電流を監視する（Ｓ４）。制御回路１０は、その電流が求めた基準値（閾値）を超えたかどうかをチェックする（Ｓ５）。若し、サーバ２の電源オン操作により電源投入が行なわれると、サーバ２の消費電流が増加し、電源連動タップ３で設定している基準値を大きく超えることになる。検出電流が基準値を超えた場合、制御回路１０は連動装置を設定する（Ｓ６）。具体的には、電源投入信号発生回路１２にＲＡＩＤ装置の電源オン／オフ信号を発生されるための制御信号を与える。電源投入信号発生回路１２は、ＲＡＩＤ装置１の電源オン／オフ（ここではオン）信号（電源制御信号）を与える。この電源制御信号は、ＲＣＩインタフェースを介して全てのＲＡＩＤ装置１に通知される。
【００２４】
構成テーブル１１に予め電源連動制御を行なうことが設定されているＲＡＩＤ装置１は、この電源制御信号により電源がオンになる。このようにして、サーバ２の電源オンと連動してＲＡＩＤ装置１の電源をオンにすることができ、システムが起動することになる。また、サーバ２と電源連動するＲＡＩＤ装置１は、複数台のＲＡＩＤ装置が接続されている場合は、予め設定しておくことにより、連動する装置を制限することができる。このようにすることで、電源投入不要となる装置への電源投入は行なわれず、電源投入が必要な装置のみ電源連動することになる。
【００２５】
更に、電源連動タップ３には、サーバ２に登録されている接続構成情報を読み出し機能を具備し、運用中でも自動的に構成情報のデータを読み込むことができる。この自動読み込み機能により、図に示すように＃４のＲＡＩＤ装置が新たに増設される場合、このＲＡＩＤ装置の増設は、サーバ２の構成テーブル２ｂに登録されるので、その情報は電源連動タップ３内の構成テーブル１１にも登録される。そして、次回の電源投入時には、増設されたＲＡＩＤ装置も連動して電源投入を実施することができる。
【００２６】
図４は電源連動タップの機能詳細を示すブロック図である。３ａは電流検出回路であり、流れる電流をアナログ信号として検出する。このアナログ信号は、続く制御回路１０に入る。制御回路１０は、ディジタル変換機能と、電流値自動設定機能と、閾値による制御機能と、連動装置の設定機能と、定期的な構成テーブルデータの取得機能を有している。そして、制御回路１０により、電流検出回路３ａのアナログ信号がディジタル信号に変換され、ＲＡＩＤ装置に電源を供給するための閾値の自動設定等が行なわれる。制御回路１０の制御出力は、ＲＣＩ回路１２（図２の電源投入信号発生回路１２に同じ）に出力され、該ＲＣＩ回路１２は電源投入切断信号発生回路として機能し、ＲＡＩＤ装置１に与えられる。
【００２７】
本発明によれば、前述したように、電源制御出力回路のないサーバでも、ＲＡＩＤ装置と電源連動システムを構築することができ、自動にてシステム全体の電源投入・切断を実施することができる。また、複数台のＲＡＩＤ装置が接続されている場合は、電源連動タップに予め設定しておくことで、連動する装置を制限する機能も併せ持つ。
【００２８】
更に、サーバの持つ構成接続データを自動的に読み込むことにより、新規に増設された装置は次回の電源投入時より人手を介さずに連動して電源を投入することが可能となる。これにより、多種のサーバと接続することが可能となり、システムのローコスト化とオープン化が可能となる。また、電源連動タップの設定及びシステム全体の電源制御を、人手を介さずに実施することが可能となり、安定した電源連動システムを提供することができる。
【００２９】
以下、具体的な実施の形態例について説明する。電源連動タップによるＲＡＩＤ装置とサーバの電源連動システムについて説明する。下位装置への電源制御機能を有さないサーバに、本電源連動タップを接続し、ＲＡＩＤ装置との電源連動を可能にする。これにより、システム全体の電源制御を無人で実施することが可能となる。また、事前に設定を行なうことで、電源連動が必要な機器のみの連動が可能となる。更に、新規に増設された装置に対しても、サーバより構成情報を自動で読み込むことにより、人手を介さずに自動的に接続を認識して電源投入を実施する。
【００３０】
電源連動タップには、出力ポートが４つ具備されている。このポート毎に電流検出が可能であり、ポートによる電源連動機能も設定できる。奇数のポートのサーバに電源投入された場合、ＲＡＩＤ装置は奇数順に接続された装置のみが連動する。また、予め設定しておけば、ポート毎に連動するＲＡＩＤ装置を設定することが可能である。更に、各ポート単位にサーバからの構成接続情報を自動にて取得することにより、ポート単位に増設されたＲＡＩＤ装置の電源連動を人手を介さずに自動で実施することが可能になる。これにより、ポート単位に必要となる装置を自動的に選択して電源投入することが可能になる。
【００３１】
上述の実施の形態例では、周辺装置としてＲＡＩＤ装置の場合を例にとって説明したが、本発明はこれに限るものではなく、他の種類の周辺装置を用いることができる。
以上、説明したように、本発明によれば、多種のサーバとの電源を連動した接続が可能になり、安価なサーバを用いることで、システム装置のローコスト化、オープン化、信頼性、増設装置の自動化、自動認識を行なうことができ、また不要な装置への電源投入を回避することで、省電力化にも寄与することになる。
【図面の簡単な説明】
【００３２】
【図１】本発明の原理ブロック図である。
【図２】電源連動タップの一実施の形態例を示すブロック図である。
【図３】本発明の一実施の形態例を示すブロック図である。
【図４】電源連動タップの機能詳細を示すブロック図である。
【符号の説明】
【００３３】
１    周辺装置
２    サーバ
３    電源連動タップ
３ａ  電流検出手段
【図１】
2005321929.tif 000003
【図２】
2005321929.tif 000004
【図３】
2005321929.tif 000005
【図４】
2005321929.tif 000006